(57)【要約】【課題】ベルト本体を裏表逆にしても運搬物周囲を締め付けて、当該ベルト本体の両端部同士を止着固定でき、裏表を間違えたことによる再度の巻回作業をやり直す面倒な手間をかけずに済み、当該ベルト本体の端部相互を容易に固定できるようにする。【解決手段】ベルト本体１が運搬物Ｃ周囲を巻回し、ベルト本体１端部同士に備えた固定手段（２，３）により止着固定して当該運搬物Ｃの荷崩れを防止する。この固定手段（２，３）はベルト本体１の裏表対称面に設けることで、ベルト本体１を運搬物Ｃ周囲に表裏自在に巻回して固定可能とする。また、固定手段（２，３）は、ベルト本体１の他端部に付設したベルト連結用挿通環２と、該ベルト連結用挿通環２に対応してベルト本体１の一端部に付設したベルト連結用面ファスナ３とからなり、該ベルト連結用面ファスナ３は、ベルト本体１の一端部における裏表対称面に設けてなる。【選択図】図３
0003137361.tif 000002
【実用新案登録請求の範囲】
【請求項１】
ベルト本体が運搬物周囲を巻回し、ベルト本体の端部同士に設けた固定手段により止着固定したものとなって当該運搬物の荷崩れを防止する荷崩れ防止ベルトであって、該固定手段はベルト本体の裏表対称面に設けることでベルト本体を運搬物周囲に表裏自在に巻回して固定可能としてなることを特徴とする荷崩れ防止ベルト。
【請求項２】
固定手段は、ベルト本体の一端部に付設されたベルト連結用挿通環と、該ベルト連結用挿通環に対応してベルト本体の他端部に付設されたベルト連結用面ファスナとからなり、該ベルト連結用面ファスナは、ベルト本体の他端部における裏表対称面に設けてなる請求項１記載の荷崩れ防止ベルト。
【請求項３】
固定手段は、ベルト本体の一端部に付設された複数のベルト連結用挿通環と、該ベルト連結用挿通環に対応してベルト本体の他端部に連結した複数の連結紐とからなり、各連結紐の裏表対称面にベルト連結用面ファスナを設けてなる請求項１記載の荷崩れ防止ベルト。
【請求項４】
固定手段は、ベルト本体の両端部同士を重ね合わせて接合可能とする両端部それぞれの裏表対称的にベルト連結用面ファスナを設けてなる請求項１記載の荷崩れ防止ベルト。
【請求項５】
固定手段は、ベルト本体のいずれか一方の端部に連結した弾性部材と、該弾性部材を係架させるよう他方の端部に配したフックとからなり、該フックは、他方の端部の裏表対称面に配してなる請求項１記載の荷崩れ防止ベルト。
【考案の詳細な説明】
【技術分野】
【０００１】
本考案は、例えば商品を梱包した段ボール、または油缶等の角形斗缶、さらには米袋等の布袋等による各種の運搬物を段積み状に積載可能としたフォーク差込孔を備えた平板状の運搬用パレットまたは荷役用カート上の当該運搬物を結束し、荷崩れを防止するようにした荷崩れ防止ベルトに関する。
【背景技術】
【０００２】
従来から、運搬用パレットまたは荷役用カート上の運搬物を結束して荷崩れを防止するための荷崩れ防止ベルトが数多く存在する。
【０００３】
例えば特許文献１に開示されているように、運搬物を巻回装着した後の端部相互が牽引されて引き締められた状態で端部を互いに連結固定することができる仮止め固定手段を有してなるベルト本体によって構成された技術がある。この仮止め固定手段は、運搬物周囲を巻回した後にベルト本体の端部相互を重ね合わせるとき、外側に位置させたベルト本体の一端部にベルト本体自体の長さ方向に沿って開口形成したスリット内から、内側に位置させたベルト本体の他端部に連結してある把手を外出させ、前記の一端部に連結してある把手と共に互いに反対方向に牽引して運搬物周囲を締め付け、ベルト本体の内外側面に配置形成してある雌雄の面ファスナによって貼着固定することで、ベルト本体が運搬物周囲を巻回したものとなって運搬物の荷崩れを防止する。
【０００４】
また、特許文献２に開示されているように、透視性と通風性とを発揮できる網目を有するラッシェル織りの網でつくられた帯体の長手方向に本質的に伸縮性を有さず幅方向には伸縮性を有する部分と、長手方向に伸縮性を有する部分を備え、帯体を巻き付けるときの有効長さを調節して止着できる雄雌の面ファスナによる止着手段を備えてなる荷崩れ防止用ベルトなる技術が存在する。
【０００５】
また、特許文献３に開示されているように、帯状体における巻回開始側端部の下端部に伸縮性部材を介して係止部材を取り付け、載置物が積載された載置台における任意箇所に引っ掛けるように係止部材を取り付け、そのまま適度に斜め上方に引っ張ることで該係止部材を固定しながら、載置物の境界部が被覆保護されるように巻き付け位置を調整し、載置物を結束するように載置物の周囲を全体的に巻回した後、固定手段を互いに接合することにより載置物の荷崩れを防止する荷崩れ防止具なる技術が存在する。
【０００６】
また、特許文献４に開示されているように、荷崩れ防止具が積層物の四周側面を巻回している帯状シート本体と、当該帯状シート本体の長手方向の両端部にそれぞれ取り付けられた該両端部を連結している締め付けベルトとからなり、該締め付けベルトにはワンタッチ式バックルを構成する雌部材と雄部材とがそれぞれ取外し自在に、かつ少なくとも締め付けベルトのいずれかのベルト長さが調節可能に取り付けられてなる荷崩れ防止具なる技術が存在する。
【０００７】
また、特許文献５に開示されているように、締め付けベルト本体の長手方向の一端部に一対の環状体を設け、これに対応して締め付けベルト本体の長手方向の他端部に一対の着脱可能手段を設け、該着脱可能手段を環状体に挿通することで締め付け可能とした荷崩れ防止用の帯状部材なる技術が存在する。
【特許文献１】特開２００４−１４２８０４号公報
【特許文献２】特開２００６−２６４７７３号公報
【特許文献３】特開２００２−２７８１号公報
【特許文献４】実用新案登録第３１３１６７６号公報
【特許文献５】実用新案登録第３１１６４１４号公報
【考案の開示】
【考案が解決しようとする課題】
【０００８】
しかしながら、上述した従来においては、特許文献１・特許文献２・特許文献３の技術による場合、ベルト本体の内外側面に配置形成してある雌雄の面ファスナ、止着手段、固定手段それぞれは、当該ベルト本体の端部相互が特定された内外で重ね合わされる対向面箇所のみに形成されている。
【０００９】
また、特許文献４・特許文献５の技術による場合、締め付けベルトのワンタッチ式バックルを構成する雌部材と雄部材、締め付けベルト本体の長手方向の他端部における一対の着脱可能手段それぞれが各ベルトの片面のみに形成されている。
【００１０】
このため、もしもベルト本体を裏表逆にして運搬物周囲を締め付けた際には、固定部分同士の裏表が逆になってしまうから、雌雄の面ファスナ、止着手段、固定手段、ワンタッチ式バックルを構成する雄雌部材、一対の着脱可能手段等による固定が困難となる。しかも、ベルト本体は、その裏表が判別できるように構成されていても、これを確認せずに使用した結果、裏表が逆となった状態で締め付けてしまったときには、止着固定できなくなることで巻回作業を再度やり直さなければならず、非常に面倒である。また、ベルト本体自体は非常に長いためにコンパクトに丸め込まれた状態で保管されていることが多く、このベルト本体の裏表を判別するに際し、当該ベルト本体を展開して裏表を確認しなければならないこともあり、いずれにしても非常に手間が掛かる。
【００１１】
そこで、本考案は叙上のような従来存した諸事情に鑑み創案されたもので、ベルト本体を裏表逆にして運搬物周囲を締め付けてしまったときでも、当該ベルト本体の両端部同士を止着固定できるようにしたのであり、ベルト本体自体をリバーシブルに構成して運搬物周囲にいずれを表裏としても装着でき、再度の巻回作業をやり直すような面倒な作業を行わなくても、当該ベルト本体の端部相互を容易に固定できる荷崩れ防止ベルトを提供することを目的とする。
【課題を解決するための手段】
【００１２】
上述した課題を解決するため、本考案にあっては、ベルト本体１が運搬物Ｃ周囲を巻回し、ベルト本体１端部同士に設けた固定手段（２，３）により止着固定したものとなって当該運搬物Ｃの荷崩れを防止する荷崩れ防止ベルトであって、該固定手段（２，３）はベルト本体１の裏表対称面に設けることでベルト本体１を運搬物Ｃ周囲に表裏自在に巻回して固定可能としてなるものである。
固定手段（２，３）は、ベルト本体１の一端部に付設されたベルト連結用挿通環２と、該ベルト連結用挿通環２に対応してベルト本体１の他端部に付設されたベルト連結用面ファスナ３とからなり、該ベルト連結用面ファスナ３は、ベルト本体１の他端部における裏表対称面に設けてなるものとすることができる。
固定手段（２，３）は、ベルト本体１の一端部に付設された複数のベルト連結用挿通環２と、該ベルト連結用挿通環２に対応してベルト本体１の他端部に連結した複数の連結紐９とからなり、各連結紐９の裏表対称面にベルト連結用面ファスナ３を設けてなるものとすることができる。
固定手段（２，３）は、ベルト本体１の両端部同士を重ね合わせて接合可能とする当該両端部それぞれの裏表対称的にベルト連結用面ファスナ３を設けてなるものとすることができる。
固定手段（２０，３０）は、ベルト本体１のいずれか一方の端部に連結した弾性部材２０と、該弾性部材２０を係架させるよう他方の端部に配したフック３０とからなり、該フック３０は、他方の端部の裏表対称面に配してなるものとすることができる。
【００１３】
以上のように構成された本考案に係る荷崩れ防止ベルトにあって、ベルト本体１は、例えば荷役用パレットＰ上に段積み状に積載されている運搬物Ｃを水平方向で、当該ベルト本体１の裏表面を問わず、いずれの面によっても同様に巻回装着させ、固定手段（２，３）によって止着させる。
すなわち、固定手段（２，３）は、ベルト本体１の他端部をベルト連結用挿通環２に挿通して折り返し状に反転させ、運搬物Ｃをベルト本体１で巻き締める状態にするか、あるいはベルト本体１の両端部同士を重ね合わせて巻き締める状態にするかのいずれかによって、ベルト連結用面ファスナ３同士を接合させることにより運搬物Ｃの荷崩れを防止させる。
また、固定手段（２０，３０）は、ベルト本体１の弾性部材２０を、他方の端部の裏表対称面に配したフック３０に係合可能にさせる。
このとき、固定手段（２，３，２０，３０）のベルト連結用面ファスナ３、フック３０はベルト本体１の他端側において裏表対称的に配置されていることから、ベルト本体１が裏表逆にして運搬物Ｃを巻回装着した際においても、ベルト連結用面ファスナ３同士の接合、あるいはフック３０への弾性部材２０の係架等による運搬物Ｃの巻き締めを可能にさせる。
【考案の効果】
【００１４】
本考案によれば、ベルト本体１の裏表を問わずに運搬物Ｃ周囲に巻回でき、裏表逆にして運搬物Ｃ周囲を締め付けてしまったときでも、当該ベルト本体１の両端部同士を止着固定できなくなることがなく、再度の巻回作業をやり直すような面倒な作業を行わなくても、当該ベルト本体１の端部相互を容易に固定させることができる。
【００１５】
すなわち、これは本考案が、固定手段（２，３）をベルト本体１の裏表対称面に設けることでベルト本体１を運搬物Ｃ周囲に表裏自在に巻回して固定可能としてなるからであり、これによってベルト本体１を裏表両面で使用可能となるリバーシブルタイプのものとすることができる。そして、ベルト本体１を裏表逆にして運搬物Ｃ周囲を締め付けた際にも、ベルト本体１の巻回作業を再度やり直すような面倒な作業を行わずに、そのまま当該ベルト本体１の端部相互を容易に固定させることができる。
【００１６】
固定手段（２，３）は、ベルト本体１の一端部に付設されたベルト連結用挿通環２と、該ベルト連結用挿通環２に対応してベルト本体１の他端部に付設されたベルト連結用面ファスナ３とからなり、該ベルト連結用面ファスナ３は、ベルト本体１の他端部における裏表対称面に設けてなるので、ベルト本体１を裏表逆にして運搬物Ｃ周囲を締め付けた際における当該ベルト本体１の端部相互の固定を確実に行うことができる。
【００１７】
また、固定手段（２，３）は、ベルト本体１の一端部に付設された複数のベルト連結用挿通環２と、該ベルト連結用挿通環２に対応してベルト本体１の他端部に連結した複数の連結紐９とからなり、各連結紐９の裏表対称面にベルト連結用面ファスナ３を設けてなるので、ベルト本体１を裏表逆にして運搬物Ｃ周囲を締め付けた際に、ベルト本体１全体に均等に引っ張り力が加わるようにしながら当該ベルト本体１の端部相互の固定を確実に行うことができ、ベルト本体１の巻回力の緩みや撓みによる荷崩れを確実に防止することができる。
【００１８】
更には、固定手段（２，３）は、ベルト本体１の両端部同士を重ね合わせて接合可能とする当該両端部それぞれの裏表対称的にベルト連結用面ファスナ３を設けてなるので、ベルト本体１を裏表逆にして運搬物Ｃ周囲を締め付けた際に、ベルト本体１の巻回作業を、再度やり直すような面倒な作業を行わなくても当該ベルト本体１の端部相互を容易に重ね合わせて固定させることができる。
【００１９】
そしてまた、固定手段（２０，３０）は、ベルト本体１のいずれか一方の端部に連結した弾性部材２０と、該弾性部材２０を係架させるよう他方の端部に配したフック３０とからなり、該フック３０は、他方の端部の裏表対称面に配してなるので、ベルト本体１を裏表逆にして運搬物Ｃ周囲を締め付けた際に、ベルト本体１の巻回作業を再度やり直すような面倒な作業を行わなくても当該ベルト本体１の一方の端部にある弾性部材２０を他方の端部のフック３０に係架して固定させることができる。
【００２０】
尚、上記の課題を解決するための手段、考案の効果の項それぞれにおいて付記した符号は、図面中に記載した構成各部を示す部分との参照を容易にするために付したもので、図面中の符号によって示された構造・形状に本考案が限定されるものではない。
【考案を実施するための最良の形態】
【００２１】
以下、図面を参照して本考案を実施するための最良の一形態を説明する。図において示される符号１は、所定幅員を有するベルト本体であり、例えば商品を梱包した段ボール、または油缶等の角形斗缶、さらには米袋等の布袋等による各種の運搬物Ｃを段積み状に積載して運搬できる例えば前後方向に貫通するフォーク差込孔を左右一対で備えた平板状の荷役用パレットＰあるいは所謂カートと称する積載台車等に積載された当該運搬物Ｃを略水平方向で巻回装着したり、あるいは図示を省略したが荷役用パレットＰ・積載台車と共に上下方向で巻回装着したりするに足りる長さと所定の幅員とを備えた帯状に形成されている。
【００２２】
すなわち、このベルト本体１は、運搬物Ｃをほぼ水平方向で巻回装着する場合には、例えば荷役用パレットＰ上に段積みされた運搬物Ｃの上下方向で必要があれば複数段に跨がって掛け渡される例えば４５ｃｍ程度の上下方向の幅員と、運搬物Ｃの周囲を水平方向で囲繞するに足りる例えば２８０ｃｍ程度の長さとを備えたものとなっている。これの形成素材は例えばポリエステル繊維をポール・グラスファイバーと共に織成したものであり、外部からの衝撃、破断力その他に対しては容易には破断されない程度の強靱性を備えたものとしてある。
【００２３】
また、ベルト本体１には、この端部同士を止着するための後述する各種構造による固定手段（２，３）が設けられているが、この固定手段（２，３）は、ベルト本体１の裏表対称面に設けることによってベルト本体１を運搬物Ｃ周囲に表裏自在に巻回して固定可能とするような所謂リバーシブル型に構成されている。すなわち、ベルト本体１自体は、いずれの側面が内側あるいは外側になっても良いようになっており、また当該ベルト本体１自体は、固定手段（２，３）を含めた全ての構成が表面も裏面も同様に作られていることが好ましい。
【００２４】
固定手段（２，３）の具体的構造としては、例えばこのベルト本体１の一端部には角環と称される縦長のベルト連結用挿通環２の長手一端側が、当該ベルト本体１の一端部に付設されている雄雌の面ファスナ同士の接合等によって挟持装着されている。また、ベルト本体１の他端部における長手方向に沿った上下両側縁部の裏表対称面それぞれにベルト連結用面ファスナ３が縫着等によって付設され、ベルト連結用挿通環２に挿通し、折り返すことで接合止着できるようにしてある。このベルト連結用面ファスナ３は、例えば長さ約８５ｃｍ程度の雌側の面ファスナと、例えば長さ約１５ｃｍ程度の雄側の面ファスナとが縫着等によって連設布置されていて、ベルト本体１の表裏で対称的に構成されている。
【００２５】
さらに、このベルト本体１の他端部中央には、当該ベルト本体１を手で引っ張るための縦長孔状の把持部４が設けられ、ベルト本体１の一端部における片側縁部には、当該ベルト本体１を丸めて折り畳んだ状態にしてから掛架して収容するための掛架用ベルト５が付設されている。
【００２６】
ベルト本体１の使用に際し、図１（ａ）、（ｂ）または図２（ａ）、（ｂ）に示すように、荷役用パレットＰ上に段積み状に積載されている運搬物Ｃを水平方向で、ベルト本体１によっていずれかの側面を内側あるいは外側にして巻回装着してから、固定手段（２，３）によってベルト本体１の端部同士を固定する。すなわち、固定手段（２，３）として、ベルト連結用挿通環２にベルト本体１の他端部におけるベルト連結用面ファスナ３を挿通して折り返し状に反転させる。そして、ベルト本体１の把持部４を手でもって牽引することで運搬物Ｃをベルト本体１で巻き締める状態にしてから、ベルト連結用面ファスナ３それぞれに連設配置してある雌雄の面ファスナ同士を貼着接合することによって固定して運搬物Ｃの荷崩れを防止するものとしてある。
【００２７】
そして、ベルト本体１の他端部内には、ベルト本体１を把持部４にて牽引するときの当該一端部における保形性を維持するよう端部に直交させて細帯板、丸棒の如き保形芯材６を内装してある。
【００２８】
さらに、ベルト本体１の例えば中間部には、長手方向へ伸縮が可能であり、幅方向へは実質的に伸縮しない上下一対の伸縮帯７が介在連設され、運搬物Ｃ周囲へのベルト本体１の締め付けに際し、当該ベルト本体１の長手方向に伸縮性を有する伸縮帯７によって適当な締め付け力が得られるようにしてある。
【００２９】
また、ベルト本体１の長手方向に沿っての片側一端縁部には、図１（ｂ）および図２（ｂ）に示すように、運搬物Ｃの上面を包覆する包覆ネットＮの周縁部を係架保持させるための複数の係止用小ベルト８が略等間隔毎に付設されている。すなわち、この係止用小ベルト８は、帯部材の一端側をベルト本体１裏側の一端縁部に縫着してベルト本体１の長手方向に対して直角となって突設され、帯部材の突出先端側の裏表両面には例えば雄側の面ファスナが縫設してある。そして、この雄側の面ファスナに対応して、ベルト本体１の裏表両面には長手方向に沿って等間隔毎に雌側の面ファスナが付設されている。
【００３０】
そして、この包覆ネットＮは、適度な張力が生じるような例えば強靱な細紐材によって網編されることで各網目が略菱形・矩形その他を呈する網目構造となっている略立体台形の袋状を呈してなる。係止用小ベルト８を使用する際には、運搬物Ｃの上面を包覆した包覆ネットの周縁部を、係止用小ベルト８を下方に折り返すことで巻き込み状に係架させ、雄雌の面ファスナ同士を係着させることで当該包覆ネットが運搬物Ｃ上面で保持されるものとしてある。
【００３１】
尚、上記した包覆ネットＮを取り付ける係止用小ベルト８は、使用の一形態に過ぎず、包覆ネットＮを取り付けるため以外にも使用される。
【００３２】
次に、以上のように構成された最良の形態についての使用の一例について説明する。ベルト本体１の使用に際し、図１（ａ）に示すように、荷役用パレットＰ上に段積み状に積載されている運搬物Ｃを水平方向で巻回装着してから、固定手段（２，３）によってベルト本体１の端部同士を固定する。このとき、ベルト本体１自体は、固定手段（２，３）を含めて表面も裏面も同様に作られていることから、ベルト本体１のいずれの側面を内側または外側にしても良いのである。
【００３３】
そして、ベルト連結用挿通環２にベルト本体１の他端部におけるベルト連結用面ファスナ３を挿通して折り返し状に反転させる。次いで、図１（ｂ）に示すように、ベルト本体１の把持部４を手でもって牽引することで運搬物Ｃをベルト本体１で巻き締める状態にしてから、ベルト連結用面ファスナ３それぞれに連設配置してある雌雄の面ファスナ同士を貼着接合する。
【００３４】
このとき、図２（ａ）に示すように、ベルト本体１が裏表逆にして運搬物Ｃを巻回装着したとしても、固定手段（２，３）におけるベルト連結用面ファスナ３はベルト本体１他端側において裏表対称的に配置されていることから、これの固定は表裏いずれでも同様に行なえる。すなわち、図２（ｂ）に示すように、ベルト本体１の他端部をベルト連結用挿通環２に挿通して折り返し状に反転させ、ベルト本体１の把持部４を手でもって牽引することで運搬物Ｃをベルト本体１で巻き締める状態にしてから、ベルト連結用面ファスナ３それぞれに連設配置してある雌雄の面ファスナ同士を貼着接合することが可能である。
【００３５】
そして必要があれば、図２（ｂ）に示すように、例えば運搬物Ｃの上面に包覆ネットＮが包覆され、該包覆ネットＮの周縁部は、係止用小ベルト８を折り返して雌雄の面ファスナ同士を貼着接合することによって巻き込み状に係架保持される。
【００３６】
このベルト本体１の固定手段（２，３）としては、上記した構成に限らず、例えば図４（ａ）、（ｂ）に示すようにベルト本体１の他端部に例えば３本並列状に連結した帯状の各連結紐９を、一端部に連結したいわゆるＤ環と称される３つのベルト連結用挿通環２それぞれに挿通して折り返し状に反転させ、連結紐９の裏表対称面に配置形成してある雌雄のベルト連結用面ファスナ３によって貼着接合できるようにすることもできる。このとき、連結紐９に配置形成してある雌雄のベルト連結用面ファスナ３は、当該連結紐９の裏表対称的に配されていることからベルト本体１を裏表自在に巻回して固定可能となる所謂リバーシブル型となっている。
【００３７】
また、ベルト本体１の更に他の固定手段（２，３）として、図５（ａ）、（ｂ）に示すように、ベルト本体１の両端部同士を重ね合わせて接合可能とするよう重なり合う両端部それぞれの裏表対称的に雌雄のベルト連結用面ファスナ３を配置形成し、且つ端縁部に端部相互を牽引できるように把持部４を付設することもできる。このとき、ベルト本体１の両端部内には、当該ベルト本体１を牽引するときの当該両端部における保形性を維持するよう端部に直交させて細帯板、丸棒の如き保形芯材６を内装してある。
【００３８】
また、ベルト本体１の更に他の固定手段（２０，３０）として、図６（ａ）、（ｂ）に示すように、ベルト本体１のいずれか一方の端部に連結した例えばリング状のゴムバンド等の如き弾性部材２０を、他方の端部の裏表対称面に配した例えばＬ字型等のフック３０に係架可能となるように構成しても良い。このとき、ベルト本体１の両端部内には前記した保形性を維持するための保形芯材６を内装し、ベルト本体１の中間部には、前記した上下一対の伸縮帯７が介在連設され、さらにベルト本体１の長手方向に沿っての片側一端縁部には、前記した複数の係止用小ベルト８が略等間隔毎に付設され、且つ弾性部材２０側の一端側上縁には掛架用ベルト５が付設されている。
【００３９】
さらに、図示による詳細な説明を省略するが、ベルト本体１の両端部それぞれに連結した締結帯を重ね合わせたときの内外に位置する端部相互の内外側面同士を雌雄のベルト連結用面ファスナ３によって貼着接合するようにしたり、あるいは端部相互をそれぞれの裏表対称面に配したボタン等によって直接的に係合固定するものとしたりしても良く、いずれにしてもベルト本体１を裏表何れの面からでも運搬物Ｃに装着した状態で固定できればその構造は特に限定されるものではない。
【図面の簡単な説明】
【００４０】
【図１】本考案を実施するための最良の形態における使用の一例を示すもので、（ａ）はベルト本体の一端部をベルト連結用挿通環に挿通して折り返し状に反転させる状態の斜視図、（ｂ）はベルト連結用面ファスナそれぞれに連設配置してある雌雄の面ファスナ同士を貼着接合した状態の斜視図である。
【図２】同じくベルト本体を裏表逆にして使用した場合の一例を示すもので、（ａ）はベルト本体の一端部をベルト連結用挿通環に挿通して折り返し状に反転させる状態の斜視図、（ｂ）はベルト連結用面ファスナそれぞれに連設配置してある雌雄の面ファスナ同士を貼着接合した状態の斜視図である。
【図３】同じくベルト本体の一構成例を示し、（ａ）は表面側から見た一部省略平面図、（ｂ）は裏面側から見た一部省略平面図である。
【図４】ベルト本体の他の構成例を示し、（ａ）は表面側から見た一部省略平面図、（ｂ）は（ａ）におけるＸ−Ｘ断面図である。
【図５】ベルト本体の更に他の構成例を示し、（ａ）は表面側から見た一部省略平面図、（ｂ）は裏面側から見た一部省略平面図である。
【図６】ベルト本体の更に他の構成例を示し、（ａ）は表面側から見た一部省略平面図、（ｂ）は（ａ）におけるＹ−Ｙ断面図である。
【符号の説明】
【００４１】
Ｐ…荷役用パレット                      Ｃ…運搬物
Ｎ…包覆ネット
１…ベルト本体                          ２…ベルト連結用挿通環（固定手段）
３…ベルト連結用面ファスナ（固定手段）  ４…把持部
５…掛架用ベルト                        ６…保形芯材
７…伸縮帯                              ８…係止用小ベルト
９…連結紐
２０…弾性部材（固定手段）              ３０…フック（固定手段）
【図１】
0003137361.tif 000003
【図２】
0003137361.tif 000004
【図３】
0003137361.tif 000005
【図４】
0003137361.tif 000006
【図５】
0003137361.tif 000007
【図６】
0003137361.tif 000008